(57)【要約】【課題】この発明は、キー数を多くすることなく、複数の外部入力を容易な操作で迅速に選択することを可能とした信号再生装置及び信号再生方法を提供することを目的としている。【解決手段】複数の入力端子４４，４９，５６ａ〜５６ｄに入力された各信号から所定の信号を選択するために、複数の入力端子４４，４９，５６ａ〜５６ｄに入力された各信号を一定の順序で循環的に選択可能とする第１の操作子（１７ｂの＋側）と、複数の入力端子４４，４９，５６ａ〜５６ｄに入力された各信号を、第１の操作子（１７ｂの＋側）による一定の順序とは逆の順序で循環的に選択可能とする第２の操作子（１７ｂの−側）とを備える。【選択図】    図２
2006080664.tif 000002
【特許請求の範囲】
【請求項１】
複数の入力端子と、
前記複数の入力端子に入力された各信号を一定の順序で循環的に選択可能とする第１の操作子と、
前記複数の入力端子に入力された各信号を、前記第１の操作子による一定の順序とは逆の順序で循環的に選択可能とする第２の操作子と
前記第１及び第２の操作子の少なくとも一方を用いて選択された信号に対して再生処理を施す処理手段とを具備することを特徴とする信号再生装置。
【請求項２】
前記第１の操作子は、中央部を中心にして、両端部が略シーソー状に選択的に押圧操作可能となるように支持されたキーの一端部であり、前記第２の操作子は、前記キーの他端部であることを特徴とする請求項１記載の信号再生装置。
【請求項３】
前記第１及び第２の操作子の少なくとも一方を用いた信号選択状態を示すための入力切換表示エリアを表示する入力切換表示エリア表示手段を具備することを特徴とする請求項１または２記載の信号再生装置。
【請求項４】
前記第１または第２の操作子が予め設定された所定時間未満の時間間隔をおいて断続的に操作された場合、前記入力切換表示エリアの表示を順次切り換え、前記第１または第２の操作子の操作が前記所定時間停止された場合、そのとき前記入力切換表示エリアに表示された入力を選択させる制御手段を具備することを特徴とする請求項３記載の信号再生装置。
【請求項５】
前記処理手段で再生処理が施された信号に基づいて映像表示を行なう映像表示手段を具備し、
前記入力切換表示エリア表示手段は、前記入力切換表示エリアを、前記映像表示手段により前記処理手段で再生処理が施された信号に基づいて表示された映像に重畳して表示させることを特徴とする請求項３または４記載の信号再生装置。
【請求項６】
前記処理手段で再生処理が施された信号に基づいて映像表示を行なうもので、前記入力切換表示エリアが表示されるときは、前記処理手段で再生処理が施された信号に基づいた映像を非表示させる映像表示手段を具備することを特徴とする請求項３または４記載の信号再生装置。
【請求項７】
前記入力切換表示エリア表示手段は、選択可能な全ての入力に対応する項目を一覧表示した入力切換表示エリアを表示させることを特徴とする請求項３記載の信号再生装置。
【請求項８】
前記入力切換表示エリアに一覧表示された項目から、カーソルキーによって所定の項目を選択し、決定キーによって決定可能とする制御手段を具備することを特徴とする請求項７記載の信号再生装置。
【請求項９】
複数の入力端子に入力された各信号から所定の信号を選択して再生処理を施す信号再生方法であって、
第１の操作子及び第２の操作子のいずれが操作されたかを判別する第１の工程と、
前記第１の操作子が操作されたことが判別されたとき、前記複数の入力端子に入力された各信号を一定の順序で循環的に選択する第２の工程と、
前記第２の操作子が操作されたことが判別されたとき、前記複数の入力端子に入力された各信号を、前記一定の順序とは逆の順序で循環的に選択する第３の工程と、
前記第２または第３の工程によって選択された信号に対して再生処理を施す第４の工程とを具備することを特徴とする信号再生方法。
【請求項１０】
前記第２及び第３の工程は、信号の選択状態を示すための入力切換表示エリアを表示する工程を有することを特徴とする請求項９記載の信号再生方法。
【請求項１１】
前記第２の工程は、前記第１の操作子が予め設定された所定時間未満の時間間隔をおいて断続的に操作された場合、前記入力切換表示エリアの表示を順次切り換え、前記第１の操作子の操作が前記所定時間停止された場合、そのとき前記入力切換表示エリアに表示された入力を選択し、
前記第３の工程は、前記第２の操作子が予め設定された所定時間未満の時間間隔をおいて断続的に操作された場合、前記入力切換表示エリアの表示を順次切り換え、前記第２の操作子の操作が前記所定時間停止された場合、そのとき前記入力切換表示エリアに表示された入力を選択することを特徴とする請求項１０記載の信号再生方法。
【発明の詳細な説明】
【技術分野】
【０００１】
この発明は、入力信号から映像信号及び音声信号等を復元する信号再生装置及び信号再生方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
また、この種のデジタルテレビジョン放送受信装置は、映像信号及び音声信号含むアナログ入力信号を外部から入力するための複数の外部入力端子を備えている。そして、ユーザが選択した外部入力端子に供給されるアナログ入力信号から映像信号及び音声信号等を復元して、視聴することが可能となっている。
【０００５】
すなわち、ユーザがリモートコントローラの入力切換キーを操作して所望の外部入力端子を選択することにより、入力の切り換えを行なうことができるようになっている。この場合、入力切換キーの数を多くすることなく、複数の外部入力端子の中から所望の端子を容易かつ迅速に選択可能とする入力切換操作手段を設けることが重要となる。
【０００６】
特許文献１には、外部チューナと内部チューナのチャンネルを、リモコンのチャンネルアップダウンによって連続的に切り換えられるようにした受信機が開示されている。
【０００７】
また、特許文献２には、外部機器のチャンネル切り換えに必要な情報を内蔵することにより、通常のチャンネル切り換え操作で外部機器の放送を視聴することができるようにしたテレビ受信機が開示されている。
【０００８】
さらに、特許文献３には、リモコン送信器のカスタマイズ設定を簡単な操作により行なえるようにした技術が開示されている。
【特許文献１】特開２００２−１１８７９４号公報
【特許文献２】特開２００３−１５３０９８号公報
【特許文献３】特開２００２−２５２８８７号公報
【発明の開示】
【発明が解決しようとする課題】
【０００９】
そこで、この発明は上記事情を考慮してなされたもので、キー数を多くすることなく、複数の外部入力を容易な操作で迅速に選択することを可能とした信号再生装置及び信号再生方法を提供することを目的とする。
【課題を解決するための手段】
【００１０】
この発明に係る信号再生装置は、複数の入力端子と、複数の入力端子に入力された各信号を一定の順序で循環的に選択可能とする第１の操作子と、複数の入力端子に入力された各信号を、第１の操作子による一定の順序とは逆の順序で循環的に選択可能とする第２の操作子と、第１及び第２の操作子の少なくとも一方を用いて選択された信号に対して再生処理を施す処理手段とを備えるようにしたものである。
【００１１】
また、この発明に係る信号再生方法は、複数の入力端子に入力された各信号から所定の信号を選択して再生処理を施す方法であって、第１の操作子及び第２の操作子のいずれが操作されたかを判別する第１の工程と、第１の操作子が操作されたことが判別されたとき、複数の入力端子に入力された各信号を一定の順序で循環的に選択する第２の工程と、第２の操作子が操作されたことが判別されたとき、複数の入力端子に入力された各信号を、一定の順序とは逆の順序で循環的に選択する第３の工程と、第２または第３の工程によって選択された信号に対して再生処理を施す第４の工程とを備えるようにしたものである。
【発明の効果】
【００１２】
上記した発明によれば、選択的に操作可能な第１及び第２の操作子を備え、入力を一定の順序またはその逆の順序でそれぞれ循環的に切り換えられるようにしたので、キー数を多くすることなく、複数の外部入力を容易な操作で迅速に選択することが可能となる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の外部入力端子５６ａ，５６ｂ，５６ｃ，５６ｄが接続されている。このうち、外部入力端子５６ａ〜５６ｃは、それぞれ、アナログの映像信号及び音声信号を、デジタルテレビジョン放送受信装置１１の外部から入力可能とするものである。
【００３２】
他の外部入力端子５６ｄは、ＨＤＭＩ（High Definition Multimedia Interface）端子であり、デジタルの映像信号及び音声信号を、デジタルテレビジョン放送受信装置１１の外部から入力可能とするものである。
【００３３】
そして、この信号処理部４７は、上記アナログ復調器５３及び各外部入力端子５６ａ〜５６ｃからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３４】
また、この信号処理部４７は、上記外部入力端子５６ｄから供給されたデジタルの映像信号及び音声信号に対して所定のデジタル信号処理を施した後、グラフィック処理部５４及び音声処理部５５に出力している。
【００３５】
ここで、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３６】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３７】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３８】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３９】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００４０】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００４１】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４２】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４３】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４４】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４５】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４６】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、画面表示キー１７ｑ等が設けられている。
【００４７】
ここで、上記リモートコントローラ１７の入力切換キー１７ｂは、先に述べた４つの外部入力端子５６ａ〜５６ｄを介して入力される各信号及び受信される放送信号を選択的に切り換える操作を行なうものである。
【００４８】
すなわち、この入力切換キー１７ｂは、その中央部を中心にして、両端部が略シーソー状に選択的に押圧操作可能となるように支持されている。そして、この入力切換キー１７ｂは、押圧操作可能な一方の端部が＋側、つまり、正方向の入力切換えに対応し、押圧操作可能な他方の端部が−側、つまり、逆方向の入力切換えに対応している。
【００４９】
具体的に言えば、入力切換キー１７ｂの＋側を操作すると、操作する毎に、入力が、外部入力端子５６ａ→外部入力端子５６ｂ→外部入力端子５６ｃ→外部入力端子５６ｄ→放送→外部入力端子５６ａの順序（正方向）で循環的に切り換えられるようになる。
【００５０】
また、入力切換キー１７ｂの−側を操作すると、操作する毎に、入力が、放送→外部入力端子５６ｄ→外部入力端子５６ｃ→外部入力端子５６ｂ→外部入力端子５６ａ→放送の順序（正方向とは逆の方向）で循環的に切り換えられるようになる。
【００５１】
入力の切り換え状況は、図４に示すように、映像表示器１４の画面上にＯＳＤ表示される入力切換表示エリア７３によって示される。この入力切換表示エリア７３は、例えば、入力切換キー１７ｂまたは画面表示キー１７ｑ等を操作したことを条件として、予め設定された所定時間だけ画面上に表示されるようになっている。
【００５２】
図４に示す入力切換表示エリア７３では、外部入力端子５６ａを「ビデオ１」、外部入力端子５６ｂを「ビデオ２」、外部入力端子５６ｃを「ビデオ３」、外部入力端子５６ｄを「ＨＤＭＩ」、放送を「放送」という項目にして、一覧表示している。
【００５３】
そして、選択された入力に対応する項目は、入力切換表示エリア７３上で他の項目と色を変えて表示される。図４では、一例として「ビデオ３」、つまり、外部入力端子５６ｃが選択された状態をハッチングにより示している。
【００５４】
このため、入力切換キー１７ｂの＋側が操作される毎に、入力切換表示エリア７３内では、選択されている項目が、ビデオ１→ビデオ２→ビデオ３→ＨＤＭＩ→放送→ビデオ１の順序（正方向）で循環的に切り換えられることになる。
【００５５】
また、入力切換キー１７ｂの−側が操作される毎に、入力切換表示エリア７３内では、選択されている項目が、放送→ＨＤＭＩ→ビデオ３→ビデオ２→ビデオ１→放送の順序（正方向とは逆の方向）で循環的に切り換えられることになる。
【００５６】
このように、入力切換キー１７ｂを＋側と−側とに選択的に操作可能とし、入力を正方向または逆方向にそれぞれ循環的に切り換えられるようにしたので、キー数を多くすることなく、複数の外部入力を容易な操作で迅速に選択することが可能となる。
【００５７】
この点に関し、従来では、一方向にだけしか入力を循環的に切り換えることができなかったため、目的とする入力を選択するのに操作性が悪くユーザに不便を強いていたが、両方向に入力の循環切り換えを行なえるようにしたことにより、目的とする入力を効率的に選択することが可能となる。
【００５８】
ここで、上記入力切換キー１７ｂが＋側または−側に操作されて入力の切り換えが行なわれる毎に、その切り換えられた入力に対応する映像及び音声の再生処理が実行されるようになっている。すなわち、入力切換キー１７ｂの操作と同時に映像及び音声が切り換わるようになっている。
【００５９】
なお、上記入力切換キー１７ｂの操作に関しては、先行入力方式を採用することも可能である。例えば、外部入力端子５６ａを選択し、外部入力端子５６ａを介して入力された信号から映像信号及び音声信号を再生して視聴している状態で、入力切換キー１７ｂの＋側または−側を、予め設定された所定時間未満の時間間隔で断続的に操作した場合、画面上では、外部入力端子５６ａからの入力信号による映像が表示されたままとなっており、その映像に重畳表示された入力切換表示エリア７３上で項目のみが順次切り換わるようになっている。
【００６０】
そして、ユーザが所望の入力を選択した状態で、入力切換キー１７ｂの操作を所定時間停止した場合に、その選択された入力に対して映像信号及び音声信号の再生処理が実行され、視聴に供されるようになる。このように先行入力方式を採用すれば、ユーザが入力切り換え途中の映像を見なくても済むようになる。
【００６１】
図５は、入力切換キー１７ｂを＋側と−側とに選択的に操作した場合における、上記した一連の動作をまとめたフローチャートを示している。すなわち、処理が開始（ステップＳ５ａ）されると、制御部６１は、ステップＳ５ｂで、入力切換キー１７ｂの＋側及び−側のいずれが操作されたかを判別する。
【００６２】
そして、入力切換キー１７ｂの＋側が操作されたと判断された場合（＋側）、制御部６１は、ステップＳ５ｃで、入力切換表示エリア７３上で項目の選択表示を切り換えた後、ステップＳ５ｄで、予め設定された所定時間が経過した否かを判別し、経過していないと判断された場合（ＮＯ）、ステップＳ５ｂの処理に戻される。
【００６３】
また、上記ステップＳ５ｂで入力切換キー１７ｂの−側が操作されたと判断された場合（＋側）、制御部６１は、ステップＳ５ｅで、入力切換表示エリア７３上で項目の選択表示を切り換えた後、ステップＳ５ｆで、予め設定された所定時間が経過した否かを判別し、経過していないと判断された場合（ＮＯ）、ステップＳ５ｂの処理に戻される。
【００６４】
そして、上記ステップＳ５ｄまたはステップＳ５ｆで予め設定された所定時間が経過したと判断された場合（ＹＥＳ）、制御部６１は、ステップＳ５ｇで、現在、入力切換表示エリア７３上で選択されている項目に対応する入力に対して映像信号及び音声信号の再生処理を実行して視聴に供させた後、処理を終了（ステップＳ５ｈ）する。
【００６５】
上記した実施の形態では、選択された入力に対する映像表示画面に重ねて入力切換表示エリア７３を表示させるようにしたが、図６に示すように、入力切換表示エリア７３を表示させる場合、外部入力端子５６ａ〜５６ｄからの信号や放送信号に対応する映像を非表示状態（例えばブラックアウト）にするとともに、音声を消音（ミューティング）するようにしても良いものである。
【００６６】
また、入力の切り換えは、入力切換キー１７ｂの操作だけでなく、映像表示器１４に入力切換表示エリア７３がＯＳＤ表示されている状態で、リモートコントローラ１７のカーソルキー１７ｆを操作することにより所望の入力項目を選択し、決定キー１７ｇを操作することで実行することも可能である。
【００６７】
また、入力切り換えにおいて、放送が選択された場合には、衛星放送及び地上波放送を問わず、全ての放送において最後に選局されたチャンネル、つまり、ラストチャンネルが選局されるようにしている。さらに、外部入力が一定時間以上無信号状態となった場合には、自動的に電源を待機状態に設定するようにしている。
【００６８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６９】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置の入力切換時に表示される入力切換表示エリアの一例を説明するために示す図。
【図５】同実施の形態におけるデジタルテレビジョン放送受信装置の入力切換動作を説明するために示すフローチャート。
【図６】同実施の形態におけるデジタルテレビジョン放送受信装置の入力切換時に表示される画面の他の例を説明するために示す図。
【符号の説明】
【００７０】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…入力切換表示エリア。
【図１】
2006080664.tif 000003
【図２】
2006080664.tif 000004
【図３】
2006080664.tif 000005
【図４】
2006080664.tif 000006
【図５】
2006080664.tif 000007
【図６】
2006080664.tif 000008